(57)【特許請求の範囲】
【請求項１】
遊技機の役物であって、
互いに組み合わさった閉状態において前面が球体を構成する少なくとも２つの曲面体と、
前記曲面体を閉および開状態のいずれかの状態にする駆動機構と、
前記駆動機構の動作に連動して前記曲面体が閉状態にあるときには前記曲面体の中に収納され、前記曲面体が開状態にあるときには垂下状態となる可動表示体と、を含み
前記可動表示体は、
ウェブ保持板と、
当該ウェブ保持板の下方に上下移動可能に水平支持され、両端にプーリを備えた棒状体と、
一端が前記ウェブ保持板に固定され、前記一端から垂下されて前記プーリに巻回された後に上方に延び、他端が前記駆動機構の動作に連動する巻き取り機構によって巻き取り且つ巻き解かれる１対のワイヤと、
上端が前記ウェブ保持板に固定され下端が前記棒状体に固定され、前記曲面体が閉状態にあるときには前記棒状体に巻回され、前記曲面体が開状態にあるときには前記棒状体が回転しながら下方移動するのに伴い前記棒状体から巻き解かれて垂下状態になるウェブと、からなり、
前記巻き取り機構は前記一対のワイヤを均等に巻き取り且つ巻き解くことにより前記棒状体の水平姿勢を維持しつつ前記巻き取り及び巻き解きを行うことを特徴とする役物。
【請求項２】
前記ウェブ保持板は突起を有し且つ所定範囲内で上下移動可能に設けられ、前記曲面体の上部には前記ウェブ保持板の突起が係合するスリットが設けられ且つ遊技盤に固定された支点部が設けられ、前記巻き取り機構が前記ワイヤを巻き解くと前記保持板は下方に移動し、これに伴い前記ウェブ保持板の突起が前記スリット内で強制移動されると共に前記曲面体が前記支点部を中心にして開方向に旋回し、
前記巻き取り機構は、駆動ギアを有する駆動部と、被駆動ギアを有し前記ワイヤが巻回されるワイヤ巻き取り部と、前記駆動部と前記ワイヤ巻き取り部との間に設けられて前記駆動ギアと前記被駆動ギアに噛合する連結ギアを有するクラッチ部とからなり、前記連結ギアの噛合が解除されると、前記ウェブ保持板が下方に移動すると共に、前記ワイヤの巻き解きが始まり、前記連結ギアが噛合すると、前記駆動部からの駆動力により前記被駆動ギアを駆動して前記ワイヤ巻き取り部を回転しワイヤの巻き取りが可能になることを特徴とする請求項１記載の役物。
【発明の詳細な説明】
【技術分野】
【０００１】
本発明は遊技機の役物に関し、特に、くす玉のような構造を有する立体的な役物に関する。
【背景技術】
【０００２】
通常、パチンコ機またはスロットマシン等の遊技機の遊技盤には、液晶表示等により数字や模様等を表示する図柄表示装置（画像表示装置）が設けられている。図柄表示装置は例えば液晶表示装置である。パチンコ機の場合、遊技盤には、液晶表示装置に加え、入賞口、アウト口、障害釘、風車、ランプ、スピーカ等が設けられている。パチンコ球発射装置から打ち出されたパチンコ球は入賞口またはアウト口のいずれかに入る。パチンコ球が予め定めた始動入賞口に入ると、賞球が遊技者に払い戻されると共に抽選が行われ、液晶表示装置が抽選結果に応じた動作を行い、変化する画像による演出がなされ、その後に抽選結果が表示される。また、ランプが点滅・発光したり、スピーカから所定の音が発せられる。
【０００３】
特許文献１には、液晶表示装置による演出やランプ・スピーカによる演出に加えて、立体的な演出を行う構造が開示されている。特許文献１では、パチンコ機のガラス扉枠の２重透明板間の空間を利用して可動部材を躍動的に動かし遊技者の興趣を増大している。
【特許文献１】特開２００４−１６００５３号公報
【０００４】
また、特許文献２には遊技球の進路を妨害することなく可動体を中央役物に付設した遊技機が開示されている。この可動体は遊技球の進路範囲外に配置され、表示画像とその保護フィルムとの隙間内を滑動するようになっている。
【特許文献２】特開２００５−３４３１６号公報
【発明の開示】
【発明が解決しようとする課題】
【０００５】
しかし、従来のパチンコ機には、くす玉構造を利用した役物は無かった。
【０００６】
本発明の１つの目的は、ゲームの進行において、くす玉構造を有する立体的役物により遊技者に次の展開の期待感をより高めるような役物を提供することである。
【課題を解決するための手段】
【０００７】
本発明によれば、遊技機の役物であって、
互いに組み合わさった閉状態において前面が球体を構成する少なくとも２つの曲面体と、
前記曲面体を閉および開状態のいずれかの状態にする駆動機構と、
前記駆動機構の動作に連動して前記曲面体が閉状態にあるときには前記曲面体の中に収納され、前記曲面体が開状態にあるときには垂下状態となる可動表示体と、を含むことを特徴とする役物が提供される。
【０００８】
前記可動表示体は、
ウェブ保持板と、
当該ウェブ保持板の下方に上下移動可能に水平支持され、両端にプーリを備えた棒状体と、
一端が前記ウェブ保持板に固定され、前記一端から垂下されて前記プーリに巻回された後に上方に延び、他端が前記駆動機構の動作に連動する巻き取り機構によって巻き取り且つ巻き解かれる１対のワイヤと、
上端が前記ウェブ保持板に固定され下端が前記棒状体に固定され、前記曲面体が閉状態にあるときには前記棒状体に巻回され、前記曲面体が開状態にあるときには前記棒状体が回転しながら下方移動するのに伴い前記棒状体から巻き解かれて垂下状態になるウェブと、から構成してもよい。
【０００９】
好ましくは、前記巻き取り機構は前記一対のワイヤを均等に巻き取り且つ巻き解くことにより前記棒状体の水平姿勢を維持しつつ前記巻き取り及び巻き解きを行う。
【００１０】
好ましくは、前記ウェブ保持板は突起を有し且つ所定範囲内で上下移動可能に設けられ、前記曲面体の上部には前記ウェブ保持板の突起が係合するスリットが設けられ且つ遊技盤に固定された支点部が設けられ、前記巻き取り機構が前記ワイヤを巻き解くと前記保持板は下方に移動し、これに伴い前記ウェブ保持板の突起が前記スリット内で強制移動されると共に前記曲面体が前記支点部を中心にして開方向に旋回する。
【００１１】
前記巻き取り機構は、駆動ギアを有する駆動部と、被駆動ギアを有し前記ワイヤが巻回されるワイヤ巻き取り部と、前記駆動部と前記ワイヤ巻き取り部との間に設けられて前記駆動ギアと前記被駆動ギアに噛合する連結ギアを有するクラッチ部とから構成されてもよい。好ましくは、前記連結ギアの噛合が解除されると、前記ウェブ保持板が下方に移動すると共に、前記ワイヤの巻き解きが始まり、前記連結ギアが噛合すると、前記駆動部からの駆動力により前記被駆動ギアを駆動して前記ワイヤ巻き取り部を回転しワイヤの巻き取りが可能になる。
【発明の効果】
【００１２】
本発明による役物によれば、球体の開閉動作により、機構的に、球体が割れて中から可動表示体（垂れ幕）が垂下してくる状態を表現するのであたかもくす球が割れるイメージを抱かせることができる。これにより、大いなる祝意を表現するので、遊技者の遊技心をくすぐり、遊技の楽しみを倍増することができる。
【発明を実施するための形態】
【００１３】
本発明の役物を備えた遊技機の実施例を添付図面に基づいて説明する。尚、以下の説明において、遊技機の例としてパチンコ機を説明する。
【００１４】
図１はパチンコ機１０の概略正面図である。パチンコ機１０は、本体枠１２と、本体枠１２の前面に設けられたガラス（図示せず）と、パチンコ球を打ち出すための操作ハンドル１６を含むパチンコ球発射装置と、パチンコ球を貯留するための受皿１７を含む賞球払い出し装置と、裏面に抽選装置（図示せず）を有する遊技盤２４と、スピーカ２０と、電源回路（図示せず）とを備えている。また、パチンコ機１０には灰皿やランプ（電飾装置）２３も設けられている。ガラスは透明であるので、内部（即ち、遊技盤２４）が見えるようになっている。打ち出したパチンコ球を流下させる遊技盤２４の遊技領域１８には、液晶表示器２６、通常入賞口２７、始動入賞口２８、アタッカ口２９、アウト口３０が設けられている。
【００１５】
遊技者は操作ハンドル１６を操作して、遊技領域１８に向けてパチンコ球を打ち出す。打ち出されたパチンコ球は打出通路１４を上昇し、遊技領域１８に入った後に遊技領域１８を流下し、通常入賞口２７、始動入賞口２８、アタッカ口２９、アウト口３０のいずれかに入る。通常入賞口２７、始動入賞口２８またはアタッカ口２９にパチンコ球が入ると、所定数の賞球が受皿１７に払い出される。アウト口３０に入ったパチンコ球は没収される。アタッカ口（大入賞口）２９は通常、可動扉によって塞がれている。パチンコ球が始動入賞口２８に入り、抽選装置による抽選により「大当たり」になった場合にアタッカ口２９が所定時間だけ開かれる。通常入賞口２７と始動入賞口２８には電動チューリップが付設されている。尚、図示していないが、遊技領域１８には釘や風車なども設けられている。
【００１６】
液晶表示器２６は遊技の様々な場面において演出効果を兼ねた画像を表示する。液晶表示器２６は例えば、キャラクタ等の絵を表示したり、３つのリール（リールには図形や数字等が描かれている）が回転・停止しているように見える図柄を表示することができる。図１では液晶表示器２６に３つのリールの図柄が表示され、各リールには数字が表示されている。例えばパチンコ球が始動入賞口２８に入り上記抽選装置による抽選が行われると、抽選結果に応じた入賞信号が生成され、この入賞信号に応じて液晶表示器２６に表示される図柄が変動して停止する。
【００１７】
液晶表示器２６の周囲には枠体２５が設けられており、枠体２５の左側面中央にはパチンコ球入口３１が形成されている（図２）。また枠体２５の左側面には、パチンコ球入口３１から下方に形成されて枠体２５の左側下端に至るパチンコ球通路（図示せず）が延びている。パチンコ球通路の出口３３は、枠体２５の下縁に設けられたステージ３５の左端に開口している。ステージ３５と液晶表示器２６の間にあるのは、パチンコ球を一時的に滞させた後に再び四方八方に落下させる踊り場３５ａである。パチンコ球がステージ３５上を転動しても、パチンコ球により液晶表示器２６の画像が隠れないようにするために踊り場３５ａが設けられている。ステージ３５の中央にはステージ出口３７が形成されている。ステージ出口３７は始動入賞口２８の上方に開口している（図１）。
【００１８】
本実施例では液晶表示器２６の中央上部にくす玉役物２２が設けられている。くす玉役物２２は、抽選装置の抽選により当たりになると開き、中から垂れ幕４０（図３）が垂下されるようになっている。図１及び図２のくす球役物２２は閉状態にある。
【００１９】
垂れ幕４０が垂下しきった状態（図３）において、垂れ幕４０の下端とステージ３５との間には所定の隙間３９が形成される。この隙間３９はパチンコ球の直径より大きい。よって、パチンコ球がステージ３５上を転動しているときに垂れ幕４０が下がってきても、パチンコ球と垂れ幕４０は接触しない。
【００２０】
図４は、くす玉４２が閉じられているときのくす玉役物２２を示す図である。説明の都合上、一部断面図で示してある。図示されているように、くす玉役物２２は、遊技盤２４に取り付けられた固定ベース３２と、固定ベース３２に取り付けられたクラッチアッセンブリ３４と、クラッチアッセンブリ３４のギヤ３４ｅに係合するモータ３６と、クラッチアッセンブリ３４のギヤ３４ｅ、３４ｆを介してモータ３６と繋がるワイヤ巻取り部３８とを有する。更に、くす玉役物２２は、ワイヤ巻取り部３８により巻き取られる垂れ幕４０と、垂れ幕４０を収納するくす玉４２と、垂れ幕を保持する保持板４８とを有する。
【００２１】
クラッチアッセンブリ３４は、鍔部付きプランジャ３４ａと、プランジャ３４ａを上下移動するソレノイド３４ｂと、プランジャ３４ａの上部に巻回されてプランジャ３４ａの鍔部に係止されるスプリング３４ｃと、プランジャ３４ａの下端に設けられて水平に延びるギヤ回転軸３４ｄと、ギヤ回転軸３４ｄの両端に設けられた連結ギヤ３４ｅ、３４ｆとを有する。スプリング３４ｃはプランジャ３４ａを下方に付勢している。よって、ソレノイド３４ｂが駆動されていない状態では、図４に示すようにプランジャ３４ａは延出位置にあって、クラッチアッセンブリ３４の左側の連結ギヤ３４ｅがモータ３６の駆動ギヤ３６ａに噛合し、右側の連結ギヤ３４ｆがワイヤ巻取り部３８の被駆動ギヤ３８ａに噛合する。
【００２２】
ワイヤ巻取り部３８は、被駆動ギヤ３８ａと、これが付設されている断面逆Ｕ字形の巻き取りリール軸支持部３８ｂと、巻き取りリール軸支持部に回転可能に支持されたワイヤ巻き取りリール３８ｃと、ワイヤ巻き取りリール３８ｃに一端が固定され巻かれた左右２本の巻き上げワイヤ３８ｄとを有している。
【００２３】
垂れ幕保持板４８には、左右方向に一対の上部プーリ４５ａと一対の下部プーリ４５ｂが設けられている。各プーリ４５ａ、４５ｂは垂れ幕保持板４８から垂直方向（遊技者方向）に突出する軸部とプーリ部とからなる（図５（ａ））。つまり、各プーリ４５ａ、４５ｂのプーリ部は垂れ幕保持板４８に平行な面内で回転する。巻き上げワイヤ３８ｄはワイヤ巻取りリール３８ｃから下方に延びて、一対の上部プーリ４５ａの間における内側を通って左右に広がり、一対の下部プーリ４５ｂの対向する側と反対側の外側に掛けられ、その後、垂れ幕４０の軸４０ｂの手前側に後方側に巻かれて上方に延びる（図５（ａ））。巻き上げワイヤ３８ｄは、図５（ａ）に示されているように、垂れ幕４０の軸４０ｂに巻かれて後方に回って上方に延びた後、垂れ幕保持板４８の背面に設けられているワイヤ固定部４９に固定されている。ワイヤ固定部４９は下部プーリ４５ｂとほぼ同じ高さ位置に設けられている。図５は垂れ幕保持板４８及びこれに付随する要素だけを示している図である。また、垂れ幕保持板４８の上部プーリ４５ａの上部左右には、２つの突起軸５２が設けられている。これら突起軸５２は垂れ幕保持板４８の前面から前方へ突出している。さらに、垂れ幕保持板４８の後面から後方へ同軸上に突出する突起軸５２も設けられている。図５（ａ）は左側面図であり、図５（ｂ）は正面図である。図５では説明の都合上、垂れ幕４０が垂れ幕保持板４８の下端から少し隔てられて描かれている。
【００２４】
図５に示されているように、垂れ幕保持板４８の中央部の前面と後面には荷重（ウエイト）４７が付設されている。図示例では、ウエイト４７の取りつけ高さ位置は上部プーリ４５ａの下である。ウエイト４７は垂れ幕保持板４８と垂れ幕４０とくす玉４２の間の重量バランスを取るための錘である。例えば、垂れ幕保持板４８＞垂れ幕４０＞くす玉４２、という重量バランスと、垂れ幕保持板４８＞垂れ幕４０+くす玉４２、というウエイトバランスが確保されるようにウエイト４７の重さを決定する。本明細書において垂れ幕保持板４８の重量（自重）とはウエイト４７を含んだ重量とする。
【００２５】
垂れ幕保持板４８の下部両端からは垂れ幕ストッパ部５１が下方に延出している。また、垂れ幕保持板４８の上部右端近傍からは検出スイッチ用突起４８ａが上方に延びている。
【００２６】
垂れ幕４０は、幕（可撓性ウェブ）４０ａと、幕４０ａの下縁が固定されて巻回されている軸（棒状体）４０ｂと、軸４０ｂの両端に設けられた鍔部４０ｃとを有している。幕４０ａの上縁は垂れ幕保持板４８の下縁に固定されている（図７）。鍔部４０ｃ近傍の軸４０ｂにはワイヤ３８ｄが券回されており、ワイヤ３８ｄが摺動するので、この部位をプーリ部と考えてもよい。つまり、軸４０ｂは両端にプーリ部を備えていると考えてもよい。垂れ幕が完全に巻き取られている状態において、この鍔部４０ｃは垂れ幕保持板４８のストッパ部５１に当接する。幕４０ａは布製またはビニール製である。幕４０ａには「大当たり」または「チャンス」等の文字が記載されている。
【００２７】
図５に示すように巻き上げワイヤ３８ｄが設けられているので、巻き上げワイヤ３８ｄを下げていくと、垂れ幕４０の軸４０ｂが回転しながら降下し、幕４０ａが開いていく（解かれていく）ことになる。
【００２８】
図４に戻る。固定ベース３２には、検出スイッチ５０も設けられている。この検出スイッチ５０は、リールの巻き上げが完了したことを検出するスイッチである。検出スイッチ５０は、リールの巻き上げが完了した状態（図４の状態）において、垂れ幕保持板４８の検出スイッチ用突起４８ａに接触している。
【００２９】
図６はくす玉４２だけを示した図である。本実施例では、くす玉４２は４分割構造を有している。図６（ａ）は、くす玉４２の左半分を上から見た図であり、図６（ｂ）はくす玉４２の正面図であり、図６（ｃ）はくす玉４２の右半分を上から見た図である。図６から分かるように、くす玉４２は球体を縦に４等分割して作られている。つまり、本実施例では、くす玉４２は４つの曲面体から構成されている。本明細書では、これら４分割されたものを1/4体と称し、前側の２つの1/4体に符号４２ａを付し、後側の２つの1/4体に符号４２ｂを付した。1/4体４２ａと1/4体４２ｂの互いに対向する部分における上部には同形状のフランジ部４３が対向するように前後に形成されている。フランジ部４３には円形開口部（支点部）４３ａと長円形開口部（スリット）４３ｂが同じ高さ位置に形成されている。長円形開口部は水平方向に長軸を有する。前後に配設される1/4体４２ａと４２ｂの円形開口部４３ａには固定ベース面に直交するように設けられた左右同じ高さのくす玉回動中心軸４４がそれぞれ回転自在に嵌合し（図８（ａ）参照）、1/4体４２ａ、４２ｂがくす玉回動中心軸４４を中心して所定角度内で旋回できるようになっている。長円形開口部４３ｂには垂れ幕保持板４８の前方及び後方へ突出する突起軸５２がそれぞれ前側または後側から挿嵌され、この突起軸５２は長円形開口部４３ｂ内においてその長軸方向に移動することができる。くす玉４２が閉じられている状態（図４）では、突起軸５２は長円形開口部４３ｂ内においてくす玉４２の縦中心線Ｃ側の端部に位置しており、くす玉４２が開くと、長円形開口部４３ｂの反対側の端部（くす玉４２の左右外側の端部）に移動する。これは、くす玉の1/4体４２ａ、４２ｂがくす玉回動中心軸４４を中心に下方に回動するときに、垂れ幕保持板４８が垂直方向下方に移動するからである（図９（ｃ））。
【００３０】
図８（ａ）には、上から見たときの固定ベース３２、垂れ幕保持板４８及びくす玉４２の位置関係が示されている。固定ベース３２からはくす玉回動中心軸４４が前方に突出している。くす玉回動中心軸４４はくす玉フランジ４３の円形開口部４３ａを貫通している。前側のくす玉1/4体４２ａのフランジ４３と後側のくす玉1/4体４２ｂのフランジ４３との間に、垂れ幕保持板４８が位置している。垂れ幕保持板４８の突起軸５２が、くす玉フランジ４３の長円形開口部４３ｂを貫通している。図８（ｅ）は上記の位置関係を理解するための概略図である。
【００３１】
図７は垂れ幕保持板４８、垂れ幕４０、ワイヤ巻取り部３８、クラッチアッセンブリ３４等の斜視図である。上記したように、ウェブ４０ａの上縁５６はビス５３により垂れ幕保持板４８の下縁に固定されており、ウェブ４０ａの下縁５７は軸４０ｂに固定されている。各ワイヤ３８ｄの上端５４はリール３８ｃに固定されており、各ワイヤ３８ｄの下端５５は垂れ幕保持板４８のフック部４８ｂに固定されている。各ワイヤ３８ｄは軸４０ｂ両端近傍のプーリ部４０ｄに掛けられている。矢印５８は、ワイヤ３８ｄが巻き取られるのに伴い軸４０ｂが回転する方向を示している。尚、図７には検出スイッチ５０、固定ベース３２、リール軸支持部３８ｂ、くす玉４２は図示されていない。
【００３２】
次に上記のような構造を有するくす玉役物２２の動作について説明する。
【００３３】
まず、開動作について図８及び図９を参照して説明をする。
【００３４】
本実施例では、パチンコ球が始動入賞口２８に入り、抽選装置による抽選の結果、「大当たり」になったときにくす球４２が開動作することとする。
【００３５】
図９（ａ）に示されるように、くす玉４２が閉状態にあるときクラッチアッセンブリ３４の１つの連結ギヤ３４ｅは停止状態のモータ３６の駆動ギヤ３６ａに噛合しており、もう１つの連結ギヤ３４ｆはワイヤ巻取り部３８の被駆動ギヤ３８ａに噛合している。この状態から抽選結果が当たりとなって液晶表示器で所定の画像が表示された状態等となるときにソレノイド３４ｂを駆動してプランジャ３４ａを上方に引き上げると、クラッチアッセンブリ３４の連結ギヤ３４ｅ、３４ｆがモータ３６の駆動ギア３６ａとワイヤ巻取り部３８の被駆動ギヤ３８ａから離れる（図８（ｃ））。するとワイヤ巻き取り部３８の被駆動ギヤ３８ａが自由になり、垂れ幕保持板４８と垂れ幕４０が自重により降下する。垂れ幕保持板４８が降下すると、当然に、垂れ幕保持板４８の突起軸５２も下方に移動する。すると、くす玉４２のフランジ部４３の長円形開口部４３ｂが押し下げられるようになり、くす玉1/4体４２ａ、４２ｂはくす玉回動中心軸４４を中心にして下方に旋回する。よって、くす玉1/4体４２ａ、４２ｂはくす玉中心軸Ｃから左右外方に開く（図９（ｂ））。くす玉４２の開放は、突起軸５２が長円形開口部４３ｂの外側端に至るまで続く。くす玉４２の開放が限界に達すると、垂れ幕保持板４８の降下が停止する。垂れ幕４０は垂れ幕保持板４８の降下停止に拘らず、巻き上げリール３８ｃに券回されたワイヤが巻き解かれるまで降下し続ける。その結果、幕４０ａが巻き解かれ、図９（ｃ）に示すように幕４０ａがくす玉４２から垂下された状態になる。幕４０ａには「大当たり」または「チャンス」等の文字が記載されている。この間、液晶表示器２６は連続して変化する所定の画像（リーチ画像）を表示している。幕４０ａによる「大当たり」表示がなされた後、液晶表示器２６の３つのリールが例えば「７」「７」「７」という数字で横一列に並び停止する画像制御が行われる。
【００３６】
図８（ｂ）はくす玉役物２２の左側面図であり、くす玉４２が閉状態にあるときを示している。くす玉４２内部の垂れ幕保持板４８やワイヤ３８ｄは図示されていない。図８（ｄ）はくす玉役物２２の右側面図であり、この図もくす玉４２が閉状態にあるときを示しているが、くす玉４２内部の垂れ幕保持板４８やワイヤ３８ｄが図示されている。
【００３７】
次に、くす玉役物２２の閉動作について図１０を参照して説明をする。
【００３８】
図９（ｃ）の状態が所定時間維持された後（例えば抽選結果が液晶表示器に画像表示されるまで）、閉動作が自動的に開始される。
【００３９】
図１０（ａ）に示されるように、まず、クラッチアッセンブリ３４が駆動され、ソレノイド３４ｂのプランジャ３４ａが降下して、その１つの連結ギヤ３４ｅがモータ３６の駆動ギヤ３６ａに噛合し、もう１つの連結ギヤ３４ｆがワイヤ巻取り部３８の被駆動ギヤ３８ａに噛合する。この状態からモータ３６が駆動され、モータ３６の駆動力が駆動ギヤ３６ａから連結ギヤ３４ｅ、３４ｆを介してワイヤ巻取り部の被駆動ギヤ３８ａに伝達される。被駆動ギア３８ａはワイヤ巻取りリール３８ｃに連結されているので、ワイヤ巻取りリール３８ｃが回転しワイヤ３８ｄを巻き上げる（図１０（ａ））。このとき、垂れ幕保持板４８は自重により降下したままの状態を保っている。垂れ幕保持板４８の重量が幕４０ａより大きいからである。
【００４０】
ワイヤ３８ｄが巻き上げリール３８ｃに巻き取られると（図１０（ｂ））、軸４０ｂが回転して幕４０ａを巻き上げるようにして引き上げる。幕４０ａが巻き上げリール３８ｃに完全に巻き取られ垂れ幕保持板４８が上方に移動すると、くす玉1/4体４２ａ、４２ｂはくす玉中心軸Ｃ方向に向かって回動する。この回動はくす玉回動中心軸４４を中心にした回動である。くす玉1/4体４２ａ、４２ｂが完全に閉じられると、くす玉のフランジ部４３が巻き上げ上限検出スイッチ５０に当接する。この当接が検出されすると、モータ３６の駆動が停止され、閉動作が完了する（図１０（ｃ））。閉動作が完了した状態では、垂れ幕４０は再びくす玉４２の中に収納されている。
【００４１】
垂れ幕４０は巻き取られたり巻き解かれたりするので、可動表示体と呼ぶことができる。
【００４２】
次に、本実施例のパチンコ機１０の動作について図１（構成図）及び図１１（フローチャート）を参照して説明する。
【００４３】
遊技者がパチンコ球を遊技領域１８に打ち出すと、そのうちの幾つかは液晶表示器２６の枠体２５のパチンコ球入口３１に入る。パチンコ球入口３１に入ったパチンコ球はその後、枠体２５の左側面を落下してパチンコ球出口３３からステージ３５に出てくる。ステージ３５上を移動するパチンコ球の幾つかはステージ出口３７に入り、その後、殆どの場合、パチンコ球はステージ出口３７から始動入賞口２８内に落下する（図１１の「スタート（入賞）」）。すると、抽選装置が作動し抽選が行われる（ステップＳ１）。これと同時に液晶表示器２６の画像も所定の変化を始める。抽選の結果、所定のリーチが発生したかを判定する（ステップＳ２）。ステップＳ２において所定のリーチが発生したと判定された場合には、ステップＳ３に進む。ステップＳ３では、別のパチンコ球が上記リーチ中に通常入賞口（専用スルー）２７を通過したかを判定する。この判定の結果がＹＥＳである場合、ステップＳ４に進む。ステップＳ４では、ステップＳ１の抽選の結果が「大当たり」であるかどうかを判定する。本実施例では、「大当たり」のときにくす玉４２を開くことになっているので、ステップＳ４はくす玉４２を開くべきかを判定するステップである。ステップＳ４の判定結果がＹＥＳであれば、ステップＳ５に進み、くす玉４２の開動作が開始される。その後、所定時間が経過すると、液晶表示器２６の画像が停止し、例えば、「７」「７」「７」という数字が３つ横に並んで停止表示される。その結果、アタッカ口２９が所定時間開かれることになる。
【００４４】
ステップＳ２でＮＯとなる場合とは、例えば、抽選の結果が外れで且つリーチ表示する必要が無い場合である。
【００４５】
ステップＳ３でＮＯとなると、くす玉４２が開動作することはない。ステップＳ３では所定時間内に上記別のパチンコ球が上記リーチ中に通常入賞口（専用スルー）２７を通過したかを判定する。即ち、所定の図柄変動中にくす玉４２の開動作をさせるための打ち出し操作をしなければならない、という条件が遊技者に課せられることになる。
【００４６】
ステップＳ４でＮＯとなる場合とは、抽選の結果「大当たり」以外の当たりに当選した場合や、抽選の結果「外れ」になったが、リーチ表示だけが行われた場合である。
【００４７】
上記したように本実施例では、１つのモータ３６により２種類の動作（くす玉４２の開閉動作と垂れ幕４０の巻き上げ巻き下げ動作）を行っている。また、くす玉４２が開くことにより垂れ幕４０が遊技者の目の前に出現し、垂れ幕４０に記載されている文字等によりリーチの信頼度を遊技者に告知することができる。つまり、液晶表示器２６による告知に加え、垂れ幕４０による告知も行っている。
【００４８】
また、垂れ幕４０には「大当たり」という文字が記載されているので、現在のリーチがどのようなリーチなのかがだれにでも理解できる。例えば、液晶表示器近傍で何らかの役物が駆動されたとしても、その役物の意味が全ての遊技者に理解できるとは限らない。本実施例では「大当たり」であることを直接的に表示しているので、だれにでも「大当たり」であることが分かる。
【００４９】
本実施例では、垂れ幕４０が垂下してくる前に、立体的なくす玉４２が割れる。くす玉４２が割れると、遊技者の注意がくす玉に集まる。その後、くす玉４２から垂れ幕４０が下りてくるので、遊技者の目が垂れ幕４０に向き、垂れ幕４０に記載されている文字を遊技者が見逃すことは無い。
【００５０】
液晶表示器は２次元的な表示しかできず、且つ、その表示時間も長くはないので、遊技者が見逃してしまうこともある。これに対し、くす玉役物は３次元的な表示ができ、且つ、その表示時間も比較的長いので、遊技者が見逃してしまうことはない。
【００５１】
液晶表示器はコンピュータ制御されているので、液晶表示器による演出を変化させることは比較的容易である。しかし、遊技者にとっては、変化前の液晶表示器の演出と変化後の演出の区別が困難なこともある。例えば、変化前の演出を覚えていない場合もあるし、変化が細部における変化であるときは数秒間でその違いを認識できない場合もある。よって、液晶表示器による演出が意味するものと（何を告知しているのかと）、遊技者が考えていた内容とが一致しなくなることがある。このような場合、遊技者は液晶表示器の演出に「期待外れ感」を持つ。くす玉役物２２の動作はシンプルで、開動作と閉動作しかなく、且つ、垂れ幕には「大当たり」という直接的な表現がなされているので、上記のような「期待外れ感」は生じない。
【００５２】
くす玉役物２２は閉状態のときは球体を呈しており、コンパクトな役物になっている。
【００５３】
上記第１実施例及び第２実施例において遊技機の例としてパチンコ機を説明したが、それ以外の遊技機（例えばスロットマシン）にも本発明を適用することができる。
【００５４】
尚、本発明は上記実施例に限定されない。例えば、以下のような変形や変更が可能である。
【００５５】
１）上記実施例では、くす玉役物２２は１つしか設けられていないが、複数のくす玉役物を設けてもよい。
【００５６】
２）垂れ幕４０は透明な材料から作ってもよい。透明材料で作成すると、垂れ幕４０の後に表示されている液晶表示器２６の画像が遊技者に見えるようになる。
【００５７】
３）垂れ幕４０の垂下速度等を制御するようにしてもよい。上記した実施例では、垂れ幕４０の垂下は垂れ幕４０の自重だけに任せているが、例えば、垂れ幕４０を段階的に垂下させるようにしてもよい。この場合、例えば、ソレノイド３４ｂを駆動せずに、モータ３６の駆動ギヤ３６ａが常にクラッチアッセンブリ３４を介してワイヤ巻取り部の被駆動ギヤ３８ａに噛合しているようにし、垂れ幕４０の垂下速度や垂下態様をモータ３６の回転速度により決定・制御する。
【００５８】
４）上記実施例では、くす玉４２は４分割構造としたが、２分割構造としてもよい。この場合、１つの1/4体４２ａと１つの半体４２ｂが組み合わされて１つの半体になる。
【００５９】
５）上記実施例では、くす玉４２は球体であったが、半球体としてもよい。この場合、図６の２つの1/4体４２ｂを省略するようになる。くす玉４２は遊技者に見える方（つまり前面）だけが球体を呈することになる。
【００６０】
６）くす玉役物２２の設置位置は液晶表示器２６の中央上部に限られない。例えば、遊技盤２４の右上のスピーカ２０が設けられている領域に、スピーカ２０の代わりに設けてもよい。この場合、スピーカ２０は例えば遊技盤２４の右下に設ける。
【図面の簡単な説明】
【００６１】
【図１】本発明の第１実施例のパチンコ機の概略正面図である。
【図２】図１のパチンコ機から液晶表示器とくす玉役物だけを取出して描いた拡大正面図である。
【図３】図２の状態からくす玉が開動作して垂れ幕が垂下した様子を示した拡大正面図である。
【図４】（ａ）は図１のパチンコ機の遊技盤に設けられた固定ベースとくす玉役物の拡大正面図であり、（ｂ）は図４（ａ）からクラッチアッセンブリだけを取出して示した図である。
【図５】図４の垂れ幕とこれを保持する保持板やワイヤ等を示した図であり、（ａ）は左側面図であり、（ｂ）は正面図である。
【図６】くす玉の拡大展開図であり、（ａ）は左半分の平面図、（ｂ）は正面図、（ｃ）は右半分の平面図である。
【図７】図４の垂れ幕、保持板、ワイヤ等の斜視図である。
【図８】くす玉役物が開動作をするときのくす玉役物の図であり一部断面で描いている。（ａ）は平面図、（ｂ）は左側面図、（ｃ）は正面図、（ｄ）は右側面図である。（ｅ）も平面図であるが、曲面体の上部フランジ及びこれに係合する部分だけを示した概略図である。
【図９】くす玉役物が開動作をするときの様子を段階的に示した正面図であり、（ａ）は閉状態を示しており、（ｂ）はくす玉が割れた状態を示しており、（ｃ）は垂れ幕が完全に垂下した状態を示している。
【図１０】くす玉役物が閉動作をするときの様子を段階的に示した正面図であり、（ａ）は垂れ幕が途中まで巻き上げられた状態を示しており、（ｂ）は垂れ幕が完全に巻き上げられた状態を示しており、（ｄ）はくす玉が閉じられた状態を示している。
【図１１】くす玉役物が開く場合のフローチャートである。
【符号の説明】
【００６２】
１０  パチンコ機（遊技機）
２２  くす玉役物
２６  液晶表示器
３４  クラッチアッセンブリ（駆動機構）
３６  モータ（駆動機構）
３８  ワイヤ巻き取り部（駆動機構）
４０  垂れ幕（可動表示体）
４０ｂ  幕（ウェブ）
４２  くす玉（曲面体）
４３  フランジ部（駆動機構）
４３ａ  円形開口部（支点部）
４３ｂ  長円形開口部（スリット）
４４  回動中心軸（駆動機構）
５２  突起軸（突起）
【図１】
0004538402.tif 000002
【図２】
0004538402.tif 000003
【図３】
0004538402.tif 000004
【図４】
0004538402.tif 000005
【図５】
0004538402.tif 000006
【図６】
0004538402.tif 000007
【図７】
0004538402.tif 000008
【図８】
0004538402.tif 000009
【図９】
0004538402.tif 000010
【図１０】
0004538402.tif 000011
【図１１】
0004538402.tif 000012